(57)【特許請求の範囲】
【請求項１】
撮像光学系により結像された被写体光学像を電子的な画像情報に変換する撮像部と、
ユーザの撮像指示を受け付ける撮像指示部と、
前記画像情報を表示する表示部と、
前記ユーザが撮影視野を確認する光学ファインダと、
を備え、
単一の画像情報を前記表示部全体に表示する全画面表示、あるいは、縮小した複数の画像情報を前記表示部に同時に表示する一覧表示のどちらかを選択的に行うカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つの撮影画像情報を自動的に前記表示部に所定時間全画面表示し、
前記全画面表示の後に前記表示部の表示を自動的に終了する
ことを特徴とするカメラ。
【請求項２】
請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報により構成される撮影動画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つを自動的に前記表示部に所定時間全画面表示し、
前記全画面表示の後に前記表示部の表示を自動的に終了する
ことを特徴とするカメラ。
【請求項３】
請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報により構成される撮影動画像情報のうち最初と最後の撮影画像情報を所定の記録媒体に記録し、
その直後に前記最初と最後の撮影画像情報を自動的に前記表示部に所定時間一覧表示し、
前記一覧表示の後に前記最初と最後の撮影画像情報のうちの１つを自動的に前記表示部に所定時間全画面表示し、
前記全画面表示の後に前記表示部の表示を自動的に終了する
ことを特徴とするカメラ。
【請求項４】
請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が所定の撮影間隔毎に変換した複数の撮影画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つを自動的に前記表示部に所定時間全画面表示し、
前記全画面表示の後に前記表示部の表示を自動的に終了する
ことを特徴とするカメラ。
【請求項５】
請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が所定の撮影間隔毎に変換した複数の撮影画像情報のうち最初と最後の撮影画像情報を所定の記録媒体に記録し、
その直後に前記最初と最後の撮影画像情報を自動的に前記表示部に所定時間一覧表示し、
前記一覧表示の後に前記最初と最後の撮影画像情報のうちの１つを自動的に前記表示部に所定時間全画面表示し、
前記全画面表示の後に前記表示部の表示を自動的に終了する
ことを特徴とするカメラ。
【請求項６】
請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した複数の撮影画像情報を所定の記録媒体に記録し、
その直後に前記複数の撮影画像情報を自動的に前記表示部に一覧表示し、
前記表示部に所定時間一覧表示させた後に前記複数の撮影画像情報のうちの１つを自動的に前記表示部に全画面表示し、
前記表示部に所定時間全画面表示させた後に前記表示部の表示を自動的に終了する
ことを特徴とするカメラ。
【請求項７】
請求項１に記載のカメラにおいて、
前記撮像指示部への撮像指示による撮像および撮影画像情報の記録が終了するまでは前記表示部に表示を行わず、
前記撮像指示部への撮像指示に応答して予め設定された異なる露出条件で前記撮像部が変換した複数の撮影画像情報を所定の記録媒体に記録し、
その直後に前記複数の撮影画像情報を自動的に前記表示部に一覧表示し、
前記表示部に所定時間一覧表示させた後に前記複数の撮影画像情報のうちの１つを自動的に前記表示部に全画面表示し、
前記表示部に所定時間全画面表示させた後に前記表示部の表示を自動的に終了する
ことを特徴とするカメラ。
【請求項８】
全画面表示を行う前記所定時間を設定し、一覧表示を行う前記所定時間を設定する画像表示時間操作部を有することを特徴とする請求項１〜７のいずれか１項に記載のカメラ。
【請求項９】
電子カメラであることを特徴とする請求項１〜８のいずれか１項に記載のカメラ。
【請求項１０】
デジタルカメラであることを特徴とする請求項１〜９のいずれか１項に記載のカメラ。
【請求項１１】
デジタルスチルカメラであることを特徴とする請求項１〜１０のいずれか１項に記載のカメラ。
【発明の詳細な説明】
【０００１】
【発明の属する技術分野】
本発明は、固体撮像素子等の撮像素子によって得た画像情報を記録媒体に記録するカメラに係り、特にバッテリ電源等の電力消費を抑制して省電力化を図ったカメラに関する。
【０００２】
【従来の技術】
写真撮影には、銀塩フィルムを用いる在来のカメラ、いわゆる銀塩カメラ、が従来から広く使用されている。一方、近年、ディジタルカメラ等と称され、被写体像を、例えばＣＣＤ（電荷結合素子）撮像素子等の固体撮像素子により撮像し、被写体の静止画像（スティル画像）または動画像（ムービー画像）の画像データを得て、いわゆるＰＣカード等のＩＣ（集積回路）カードまたはビデオフロッピーディスク等にディジタル的に記録するタイプの電子カメラが急速に普及しつつある。
また、最近のディジタルカメラの中には、被写体像を、固体撮像素子により撮像するに際して、レリーズ操作する毎に単一の静止画像を得る通常モードのほか、レリーズ操作に伴い所定の時間間隔をおいて複数の静止画像を順次に得る連写モードと、レリーズ操作に伴い、予め設定された異なる露出条件で複数の静止画像を順次に得るオートブラケットモードと、レリーズ操作中に動画像を得る動画モード、のいずれかの撮像モードを持つカメラも提供されている。
【０００３】
この種の電子カメラにおいては、その光学系以外の全ての機能を電子的に行なっていると言っても過言ではなく、基本的な撮影機能から付加的なアクセサリ機能に至るまで悉く電子化されている。
電子カメラは、撮像素子、レンズ駆動モータ、ストロボおよび表示部等に大電力を消費する傾向があり、撮影時には、多くの場合、携帯して用いられるため、主たる動作電源として一次電池または二次電池等の電池電源を用いることが多い。電池が消耗してしまうと、他の電源を別途に用意しておかない限り、電子カメラは、その機能を失い、撮影することができなくなる。例えば、単三形の乾電池四本で２０〜４０分、リチウム電池で１〜２時間程度しか稼働することができない場合もある。このため、電子カメラにおける消費電力は、可能な限り抑えることが望ましい。
【０００４】
従来より、電子カメラにおいては、消費電力を低減するために種々の工夫が施されている。例えば、非撮影時、特に、撮影した画像データを再生表示したり、コンピュータ等の他の装置に撮影した画像データを伝送したりする際には、いわゆるＡＣ（交流）アダプタ等を介して商用交流電源やカーバッテリー等の電源を利用することができるようにしている。また、撮影時における省電力のために、撮影待機状態のまま所定時間を経過すると、自動的に電源をオフとしたり、種々の動作モードにおいて、その動作モードでは使用しない（と予想される）機能に関する表示または照明等を選択的にオフとしたりしている。
【０００５】
【発明が解決しようとする課題】
ところで、近年、電子カメラに、液晶ディスプレイ（以下、「ＬＣＤ」と称する）を搭載したものが増加し、撮影済み画像を該ＬＣＤに再生表示させたり、該ＬＣＤを撮影時の電子ファインダとして用いるようにしたりすることが、行われている。この種のＬＣＤは、表示駆動に電力を消費するだけでなく、透過型表示のための背面照明、つまりバックライト、にも多くの電力を消費する。
従って、撮像時には、ＬＣＤを表示素子とする電子ファインダを用いずに、光学式ファインダを用いることが電力の節約上有利である。
一方、光学式ファインダを覗いて撮像したとき、実際に撮像した画像を見たい場合が多々あり、この場合、撮像後、直ちに再生表示操作を行い確認することとなる。
【０００６】
しかしながら、撮像後、いちいち再生表示操作を行うことは、厄介であると共に、無用に長い時間に亘りＬＣＤ等を表示駆動する結果、電源電池の消耗を著しく早めてしまう、という難点がある。
本発明は、上述した事情に鑑みてなされたもので、操作性を向上させつつ、撮像時における電力消費を可能な限り低減し、一層の省電力化を達成し得る電子カメラを提供することを目的としている。
即ち、特別の手動操作を伴うことなく、撮像直後の録画状態を所定時間についてのみ再生によって確認でき、しかも実使用状況に即して効率よく、消費電力の低減を達成し得る電子カメラを提供することを目的としている。
【０００７】
また、本発明の他の目的は、使用者の好みに合わせた表示動作を可能とし、使い勝手を向上し得る電子カメラを提供することにある。
また、本発明の他の目的は、種々の使用形態に適切に対応し得る電子カメラを提供することにある。
また、本発明のさらに他の目的は、通常使用される再生表示手段を用いて効率よく消費電力の低減を達成し得る電子カメラを提供することにある。
【００１２】
【課題を解決するための手段】
上述した目的を達成するために、請求項１の発明に係るカメラは、
撮像光学系により結像された被写体光学像を電子的な画像情報に変換する撮像部と、
ユーザの撮像指示を受け付ける撮像指示部と、
前記画像情報を表示する表示部と、
前記ユーザが撮影視野を確認する光学ファインダと、
を備え、
単一の画像情報を前記表示部全体に表示する全画面表示、あるいは、縮小した複数の画像情報を前記表示部に同時に表示する一覧表示のどちらかを選択的に行うカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つの撮影画像情報を自動的に前記表示部に所定時間全画面表示し、
前記全画面表示の後に前記表示部の表示を自動的に終了する
ことを特徴としている。
【００１３】
請求項２の発明に係るカメラは、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報により構成される撮影動画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つを自動的に前記表示部に所定時間全画面表示し、
前記全画面表示の後に前記表示部の表示を自動的に終了する
ことを特徴としている。
【００１４】
請求項３の発明に係るカメラは、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報により構成される撮影動画像情報のうち最初と最後の撮影画像情報を所定の記録媒体に記録し、
その直後に前記最初と最後の撮影画像情報を自動的に前記表示部に所定時間一覧表示し、
前記一覧表示の後に前記最初と最後の撮影画像情報のうちの１つを自動的に前記表示部に所定時間全画面表示し、
前記全画面表示の後に前記表示部の表示を自動的に終了する
ことを特徴としている。
請求項４の発明に係るカメラは、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が所定の撮影間隔毎に変換した複数の撮影画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つを自動的に前記表示部に所定時間全画面表示し、
前記全画面表示の後に前記表示部の表示を自動的に終了する
ことを特徴としている。
【００１５】
請求項５の発明に係るカメラは、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が所定の撮影間隔毎に変換した複数の撮影画像情報のうち最初と最後の撮影画像情報を所定の記録媒体に記録し、
その直後に前記最初と最後の撮影画像情報を自動的に前記表示部に所定時間一覧表示し、
前記一覧表示の後に前記最初と最後の撮影画像情報のうちの１つを自動的に前記表示部に所定時間全画面表示し、
前記全画面表示の後に前記表示部の表示を自動的に終了する
ことを特徴としている。
請求項６の発明に係るカメラは、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した複数の撮影画像情報を所定の記録媒体に記録し、
その直後に前記複数の撮影画像情報を自動的に前記表示部に一覧表示し、
前記表示部に所定時間一覧表示させた後に前記複数の撮影画像情報のうちの１つを自動的に前記表示部に全画面表示し、
前記表示部に所定時間全画面表示させた後に前記表示部の表示を自動的に終了する
ことを特徴としている。
請求項７の発明に係るカメラは、請求項１に記載のカメラにおいて、
前記撮像指示部への撮像指示による撮像および撮影画像情報の記録が終了するまでは前記表示部に表示を行わず、
前記撮像指示部への撮像指示に応答して予め設定された異なる露出条件で前記撮像部が変換した複数の撮影画像情報を所定の記録媒体に記録し、
その直後に前記複数の撮影画像情報を自動的に前記表示部に一覧表示し、
前記表示部に所定時間一覧表示させた後に前記複数の撮影画像情報のうちの１つを自動的に前記表示部に全画面表示し、
前記表示部に所定時間全画面表示させた後に前記表示部の表示を自動的に終了することを特徴としている。
【００１７】
請求項８の発明に係るカメラは、請求項１〜７のいずれか１項に記載のカメラにおいて、全画面表示を行う前記所定時間を設定し、一覧表示を行う前記所定時間を設定する画像表示時間操作部を有することを特徴としている。
【００１８】
請求項９の発明に係るカメラは、請求項１〜８のいずれか１項に記載のカメラにおいて、電子カメラであることを特徴としている。
【００１９】
請求項１０の発明に係るカメラは、請求項１〜９のいずれか１項に記載のカメラにおいて、デジタルカメラであることを特徴としている。
請求項１１の発明に係るカメラは、請求項１〜１０のいずれか１項に記載のカメラにおいて、デジタルスチルカメラであることを特徴としている。
【００２７】
【作用】
すなわち、本発明によるカメラは、
撮像光学系により結像された被写体光学像を電子的な画像情報に変換する撮像部と、
ユーザの撮像指示を受け付ける撮像指示部と、
前記画像情報を表示する表示部と、
前記ユーザが撮影視野を確認する光学ファインダと、
を備え、
単一の画像情報を前記表示部全体に表示する全画面表示、あるいは、縮小した複数の画像情報を前記表示部に同時に表示する一覧表示のどちらかを選択的に行うカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つの撮影画像情報を自動的に前記表示部に所定時間全画面表示し、
前記全画面表示の後に前記表示部の表示を自動的に終了する。
このような構成により、２つ以上の撮影画像情報を、選択的に、一覧表示またはそのうちの１つの画像を、全画面表示することにより、操作性に優れると共に、標準的な実使用状況に即し、電力消費を可能な限り低減し、省電力化を達成することができる。
また、本発明によるカメラは、表示部に表示させる所定時間を設定する画像表示時間操作部を設け、全画面表示または一覧表示を行う所定時間を設定する。
このような構成とすることにより、特に、使用者の好みに合わせた表示動作を可能とし、使い勝手を向上することができる。
【００３１】
【発明の実施の形態】
以下、実施の形態に基づき、図面を参照して本発明の電子カメラを詳細に説明する。
図１は、本発明の第１〜第５の実施の形態に共通の電子カメラの構成を模式的に示すブロック図である。この実施の形態では、通常モード、連写モードおよびオートブラケットモードを選択した場合のスティル画像すなわち静止画像のみならず、動画モードを選択した場合の短時間の動画および音声情報等も記録させることが可能な電子カメラを例にとって説明している。
【００３２】
図１に示す電子カメラは、撮像レンズ系１、シャッタ機構２、ＣＣＤ（電荷結合素子）固体撮像素子３、ＣＤＳ（相関二重サンプリング）回路４、第１のＡ／Ｄ（アナログ−ディジタル）変換器５、ディジタル信号処理部６、画像圧縮／伸長部７、ＦＩＦＯ（first in-first out）８、カードインタフェイス（Ｉ／Ｆ）９、ＰＣカード１０、マイクロフォン１１、フィルタアンプ（フィルタ増幅器）１２、第２のＡ／Ｄ（アナログ−ディジタル）変換器１３、音声圧縮／伸長部１４、ＣＰＵ（中央処理部）２１、第１のＬＣＤ（液晶ディスプレイ）２２、操作部２３、モータドライバ２５、制御信号生成部（ＳＧ）２６、ストロボ装置２７、バッテリ２８、ＤＣ−ＤＣコンバータ２９および第２のＬＣＤ３０を具備している。
【００３３】
撮像レンズ系１およびシャッタ機構２は、被写体像を結像するための撮像光学系を構成する。シャッタ機構２は、オートフォーカス（ＡＦ）機構、絞り機構およびフィルタ機構等を含み、レリーズ時の露光を制御する。撮像素子としては、この実施の形態では、ＣＣＤ固体撮像素子３が用いられている。ＣＣＤ固体撮像素子３は、撮像光学系により結像された光学像を電気信号に変換する。
撮像処理手段は、この場合、ＣＤＳ回路４、第１のＡ／Ｄ変換器５、ディジタル信号処理部６、画像圧縮／伸長部７、ＦＩＦＯ８およびＣＰＵ２１等で構成している。また再生表示手段は、ディジタル信号処理部６、画像圧縮／伸長部７、ＦＩＦＯ８、ＣＰＵ２１および第２のＬＣＤ３０等で構成している。
【００３４】
ＣＤＳ回路４は、相関二重サンプリングによりＣＣＤ固体撮像素子３における雑音成分を抑圧する。Ａ／Ｄ変換器５は、ＣＤＳ回路４を介して入力されるＣＣＤ固体撮像素子３からのアナログ画像信号をディジタル画像データに変換する。すなわち、ＣＣＤ固体撮像素子３の出力信号は、ＣＤＳ回路４を経てＡ／Ｄ変換器５において最適なサンプリング周波数でサンプリングされてディジタル値に変換される。
ディジタル信号処理部６は、Ａ／Ｄ変換器５から入力したディジタル画像データを色差成分と輝度成分に分けて、所要の各種処理、補正処理および画像圧縮／伸長のための前処理を施す。画像圧縮／伸長部７は、例えばＪＰＥＧ（Joint Photographic Experts Group）準拠の画像圧縮／伸長のための直交変換およびハフマン符号化／復号化等の処理を行う。
【００３５】
一方、音声は、マイクロフォン１１により電気信号に変換され、フィルタアンプ１２により所要の周波数帯域のみが選択的に増幅され、Ａ／Ｄ変換器１３により所要の周波数帯域の２倍以上の周波数でサンプリングされてディジタル値に変換される。さらに、このディジタル値は、音声圧縮／伸長部１４により圧縮され、符号化処理される。
ＦＩＦＯ８は、例えばＤＲＡＭ（Dynamic Random Access Memory）、フラッシュメモリ等で実現される一時記憶手段であり、圧縮処理された画像データと音声データを一旦蓄える。ＦＩＦＯ８に保持された圧縮画像データおよび圧縮音声データは、カードインタフェース９に読み出され、該カードインタフェース９に結合される記録媒体であるＰＣカード１０に書き込まれる。
【００３６】
ＣＰＵ２１は、操作部２３からの指示に従い、上記各部の動作を制御する。ディスプレイである第２のＬＣＤ３０は、撮像したディジタル画像データおよび圧縮状態から伸長復元されて読み出された画像データのいずれか１画面の画像を表示画面上に表示し、あるいはこれら画像データのうちの２画面または３画面を、同一表示画面（ページ）上に複合的に表示（マルチ表示）する。さらに、ＬＣＤ３０は、当該電子カメラの、例えば、通常モード、動画モード、連写モード、およびオートブラケットモード等の動作状態を示すメッセージによるモード表示を行なう。ユーザによる確認のために、第１のＬＣＤ２２もまた上述の動作状態、すなわち当該電子カメラの４つの撮影モード、の表示を行なう。
【００３７】
操作部２３は、操作手段を構成し、撮像指示を与えるためのレリーズボタン、所望に応じて機能を選択するための機能選択ボタン、例えば、通常モードの選択、動画モードの選択、連写モードの選択、およびオートブラケットモードの選択を行うためのモード選択ボタン、切換ボタン、並びにその他の各種の撮影条件の設定を行うための設定ボタン等を備えている。
【００３８】
モータドライバ２５は、撮像光学系を構成する撮像レンズ系１およびシャッタ機構２を、ＣＰＵ２１の制御に従って駆動する。制御信号生成部２６は、クロック信号等の駆動制御信号を生成して、ＣＣＤ固体撮像素子３、ＣＤＳ回路４およびＡ／Ｄ変換器５に供給し、これら各部を作動させる。ストロボ装置２７は、ＣＰＵ２１により制御されて、シャッタ機構２の開放動作時に発光し、被写体を照明する。
当該電子カメラの電源部は、バッテリ２８およびＤＣ−ＤＣ（直流−直流）コンバータ２９で構成される。バッテリ２８は、Ｎｉ−Ｃｄ（ニッケルカドミウム）電池、ニッケル水素電池およびリチウム電池等が用いられ、該バッテリ２８の出力がＤＣ−ＤＣコンバータ２９で所要の電圧に変換されて、各部に供給される。
【００３９】
この電子カメラは、後述するように、光学的に撮像視野を確認するための光学ファインダ手段としての光学ファインダ（Ｆ：図３〜図６参照）を備えており、該光学ファインダ（Ｆ）をのぞきながら操作部２３を操作して撮像を行う。光学ファインダ（Ｆ）を有しているため、ＣＰＵ２１は、主として通常モード、連写モード等、オートブラケットモードおよび動画モードのいずれにおいても、撮像を行う撮像モードにあるときには、撮影待機状態では、第２のＬＣＤ３０による画像表示をオフとしている。操作部２３のレリーズボタン（２３ａ）等によるレリーズ操作により、必要ならばストロボ装置２７を発光させ、シャッタ機構２を開いて、被写体像をＣＣＤ固体撮像素子３で撮像し、ディジタル信号処理部６等を介してＰＣカード１０に画像データを書き込む。
【００４０】
この画像データの書込み後、例えば、通常モードにあっては、ＣＰＵ２１は、速やかにＬＣＤ３０をオンとして、ＰＣカード１０に書き込まれた画像をＬＣＤ３０の画面上に表示する。この表示状態を予め設定した１〜２秒間継続した後、ＣＰＵ２１は、ＬＣＤ３０による画面表示をオフとする。すなわち、ＣＰＵ２１は、限時制御手段としての機能を有している。従って、ユーザは、ＬＣＤ３０により撮像結果の画面表示が行われている１〜２秒間のうちに撮像結果を確認すればよい。このＬＣＤ３０による撮像結果の画面表示期間の長さは、操作部２３の操作により所望に応じて設定することができる。
通常、スティル画像に限らず動画像の撮像時にも、ユーザは撮像直後において、最も撮像結果を確認したいものである。
【００４１】
そこで、そのときにのみ自動的に撮像結果の画面表示を行ってそれ以外のときはＬＣＤ３０の表示をオフとして、無用な電力消費を防止する。もちろん、撮影後、長時間を経過した後にも撮像結果を確認したいことはあり、そのような場合には、所定の再生操作を行うことにより、随時、任意の時間にわたって撮像結果を表示させることが可能である。
上述した電子カメラにおいて、撮像モードを通常モードに選択してある第１の実施の形態の場合のＣＰＵ２１における撮像動作について図２および図３〜図６を参照して説明する。図２にフローチャートを示す処理は、操作部２３のレリーズボタンを操作するとその都度起動される。
待機状態においては、図３に示すように、ＬＣＤ３０はオフとなっており、画像データは表示されていない。
【００４２】
この状態で、ユーザは、当該電子カメラのボディＢを把持し、光学ファインダＦにより被写体Ｈを観察しながら構図およびタイミング等をはかって、図４に示すように、操作部２３のレリーズボタン２３ａを押操作する。
レリーズボタン２３ａが押操作されると、図２のフローチャートに示す処理が開始される。この処理による動作は、コダック社製電子カメラＤＣ２６０およびＤＣ２２０等に採用されているものと同様である。ＣＰＵ２１は、必要ならばストロボ装置２７を発光させ、オートフォーカスを作動させるとともに、シャッタ機構２を開いて、被写体像をＣＣＤ固体撮像素子３で撮像し、ディジタル信号処理部６等を介してＰＣカード１０に画像データを書き込む（ステップＳ１）。画像データの書込み後、直ちにＣＰＵ２１は、図５に示すように、ＬＣＤ３０をオンとして、撮像した被写体像Ｈ′等の画像データを表示させる（ステップＳ２）。ユーザは、この状態で撮像結果を確認する。
【００４３】
そして、ＣＰＵ２１は、予め設定した秒時、例えば１〜２秒の経過を待ち（ステップＳ３）、設定秒時が満了すると、図６に示すようにＬＣＤ３０による画像表示をオフとして待機状態に戻る（ステップＳ４）。上述では撮像結果の表示時間は、１〜２秒としたが、この時間は所望に応じて設定することができ、数秒〜十数秒とすることもできる。
さらに、撮像結果の確認が不要であるとき、バッテリ２８の残量が少ないと予測される場合等においては、ＬＣＤ３０の自動表示による撮像結果の確認を行わないように設定することもできる。また、ＰＣカード１０等に記録されている画像を表示させるための再生モードにおいては、ＬＣＤ３０による画像表示を常時行うようにする（このような再生モードは、商用電源コンセントの存在する室内等で利用されることが多く、電源はバッテリ２８でなくＡＣアダプタ等を用いていることが多い）。
【００４４】
このように、ＬＣＤ３０等の表示部による撮像結果の確認用の表示を自動的に行い且つ短時間で自動的に表示を終了してしまうことにより、省電力化を達成することができ、電源電池の長時間使用が可能となる。また、撮像後、確認用の表示が自動的に行われるので、撮像後その都度再生モードに切り替えて撮像結果を表示させて確認するための煩雑な操作が不要となり、操作性が向上する。
図７および図８は、本発明の第２の実施の形態を説明するための図で、操作部２３のレリーズボタン２３ａを押している間に毎秒３０フレームの画像を得る動画モードをモード選択手段により選択した場合の説明図およびフローチャートを示す。
【００４５】
図７の（ａ）は、動画モードを選択した場合において、第１画面（フレーム）から第６画面（フレーム）までを撮像したことを示す図、（ｂ）は、（ａ）で撮像した第１画面から第６画面の動画像情報を、撮像処理手段で録画したことを示す図、（ｃ）は、（ｂ）で録画した画像のうち、限時制御手段の指令のもとに再生表示手段を作動させて、最初の画面（第１フレーム）１″と最後の画面（第６フレーム）６″の画像を順次に再生表示をしていることを示す図である。
待機状態においては、図３に示すように、ＬＣＤ３０はオフとなっており、画像データは表示されていない。この状態で、ユーザは、当該電子カメラのボディＢを把持し、光学ファインダＦにより被写体Ｈを観察しながら構図およびタイミング等をはかって、図４に示すように、操作部２３のレリーズボタン２３ａを押操作する。
【００４６】
レリーズボタン２３ａが押操作されると、図８のフローチャートに示す処理が開始され、ＣＰＵ２１は、必要ならばストロボ装置２７を発光させ、オートフォーカスを作動させるとともに、シャッタ機構２を開いて、第１画面〜第６画面の被写体像をＣＣＤ固体撮像素子３で順次撮像し、ディジタル信号処理部６等を介してＰＣカード１０に画像データを順次に書き込む（ステップＳ１１〜Ｓ１６）。画像データの書込み後、直ちにＣＰＵ２１は、図５に示すように、ＬＣＤ３０をオン（ステップＳ１７）として、先に録画した第１〜第６画面のうち、最初に撮像した被写体像Ｈ′（第１画面１″）を表示させる（ステップＳ１８）。ユーザは、この状態で最初の画面の撮像結果を確認する。
【００４７】
そして、ＣＰＵ２１は、第１再生画面表示から予め設定した秒時の経過を待ち（ステップＳ１９）、次いで第６画面を再生表示し（ステップＳ２０）、その第６画面表示から予め設定した秒時、例えば１〜２秒の経過を待ち（ステップＳ２１）、設定秒時が満了すると、図６に示すようにＬＣＤ３０による画像表示をオフとして待機状態に戻る（ステップＳ２２）。上述では撮像結果の表示時間は、１〜２秒としたが、この時間は所望に応じて設定することができ、数秒〜十数秒とすることもできる。
さらに、上述したようにこの場合も、撮像結果の確認が不要であるとき、バッテリ２８の残量が少ないと予測される場合等においては、ＬＣＤ３０の自動表示による撮像結果の確認を行わないように設定することもできる。また、ＰＣカード１０等に記録されている画像を表示させるための再生モードにおいては、ＬＣＤ３０による画像表示を常時行うようにする（このような再生モードは、商用電源コンセントの存在する室内等で利用されることが多く、電源はバッテリ２８でなくＡＣアダプタ等を用いていることが多い）。
【００４８】
このように、電子カメラにおいて動画モードを選択して撮像を行うように際してもＬＣＤ３０等の表示部による撮像結果の確認用の表示を自動的に行い且つ短時間で自動的に表示を終了してしまうことにより、省電力化を達成することができ、電源電池の長時間使用が可能となる。また、撮像後、確認用の表示が自動的に行われるので、撮像後その都度再生モードに切り替えて撮像結果を表示させて確認するための煩雑な操作が不要となり、操作性が向上する。
図９および図１０は、本発明の第３の実施の形態を説明するための図で、操作手段としてのレリーズボタン２３ａの押操作に伴い、所定の時間間隔（ｔ）をおいて複数の静止画像を順次撮像する連写モードをモード選択手段により選択した場合の説明図およびフローチャートを示す。
【００４９】
図９の（ａ）は、連写モードを選択した場合において、第１画面から第３画面までを撮像したことを示す図、（ｂ）は、（ａ）で撮像した静止画像情報を撮像処理手段で、第１画面から第３画面まで録画したことを示す図、（ｃ）は、（ｂ）で録画した画像１′〜３′のうち、限時制御手段の指令のもとに再生表示手段を作動させて最初の画面の画像１″と最後の画面の画像３″とを順次に再生表示することを示す図である。
この第３の実施の形態における電子カメラのＣＰＵ２１における撮像動作について、図１０のフローチャートを用いて説明する。
図１０に示すフローチャートに示す処理は、既に、モード選択手段により連写モードが選択されているので、操作部２３のレリーズボタンを操作することに起動される。
【００５０】
レリーズボタン２３ａが押操作されると、図１０のフローチャートに示す処理が開始され、ＣＰＵ２１は、必要ならばストロボ装置２７を発光させ、オートフォーカスを作動させるとともに、シャッタ機構２を開いて、被写体像をＣＣＤ固体撮像素子３で第１画面を撮像し、ディジタル信号処理部６等を介してＰＣカード１０に画像データを書き込む（ステップＳ３１）。
第１画面を撮像してから所定時間（予め撮像の目的に応じて定めた必要な遅延時間）が経過したか否かを判定し（ステップＳ３２）、経過したならば第２画面を撮像する（ステップＳ３３）。以下、同様に、所定時間経過後第３画面を撮像し、撮像処理手段により、ＰＣカード１０に録画する（ステップＳ３５）。その後、ＣＰＵ２１は、ＬＣＤ３０をオン（ステップＳ３６）として、撮像した第１画面の被写体像１″の画像データを再生表示させる（ステップＳ３７）。ユーザは、この状態で、第１画面の撮像結果を確認する。
【００５１】
そして、ＣＰＵ２１は、予め設定した秒時、例えば１〜２秒の経過を待ち（ステップＳ３８）、第３画面の被写体像３″の画像データを再生表示させる（ステップＳ３９）。
さらに、この時点から予め設定した秒時が経過（ステップＳ４０）すると図６に示すようにＬＣＤ３０による画像表示をオフとして待機状態に戻る。
この場合も、撮像結果の確認が不要であるとき、バッテリ２８の残量が少ないと予測される場合等においては、ＬＣＤ３０の自動表示による撮像結果の確認を行わないように設定することもできる。また、ＰＣカード１０等に記録されている画像を表示させるための再生モードにおいては、ＬＣＤ３０による画像表示を常時行うようにする（このような再生モードは、商用電源コンセントの存在する室内等で利用されることが多く、電源はバッテリ２８でなくＡＣアダプタ等を用いていることが多い）。
【００５２】
このように、連写モードにおいても、ＬＣＤ３０等の表示部による撮像結果（複数の静止画像のうち、第１および第３画面）の確認用の表示を自動的に行い且つ短時間で自動的に表示を終了してしまうことにより、省電力化を達成することができ、電源電池の長時間使用が可能となる。また、撮像後、確認用の第１および第３画面の表示が特別の操作を要することなく自動的に行われるので、撮像後その都度再生モードに切り替えて撮像結果を表示させて確認するための煩雑な操作が不要となり、操作性が向上する。
【００５３】
図１１および図１２は、第４の実施の形態を説明するための図で、操作手段としてのレリーズボタン２３ａの押操作に伴い、予め設定された異なる露出条件、例えば＋１ＥＶ露出オーバー、適正露出および−１ＥＶ露出アンダーという条件で３画面の静止画像を撮像するオートブラケットモードをモード選択手段により選択した場合の説明図およびフローチャートを示す。
図１１の（ａ）は、オートブラケットモードを選択した場合において、第１画面から第３画面までを撮像したことを示す図、（ｂ）は、（ａ）で撮像した複数（この場合３画面）の静止画像情報を撮像処理手段で第１画面から第３画面までをＰＣカード１０に録画したことを示す図、（ｃ）は、（ｂ）で録画した＋１ＥＶオーバ露出の静止画像１′、適正露出の静止画像２′および−１ＥＶアンダー露出の静止画像３′のうち、限時制御手段の指令のもとに再生表示手段を作動させて、適正露出の静止画像２″を再生表示することを示す図である。
【００５４】
この第４の実施の形態における電子カメラのＣＰＵ２１における撮像動作について、図１２のフローチャートを用いて説明する。
図１２のフローチャートに示す処理は、既に、モード選択手段によりオートブラケットモードが選択されているので、操作部２３のレリーズボタンを操作することによりオートブラケット動作が起動される。
レリーズボタン２３ａが押操作されると、図１２のフローチャートに示す処理が開始され、ＣＰＵ２１は、シャッタ機構または絞り機構に対し、適正露出よりも例えば１ＥＶ（０．５ＥＶでもよい）オーバーの露出条件を与え（ステップＳ５１）（必要ならばストロボ装置２７の発光を指令し）且つオートフォーカスを作動させると共にシャッタ機構２を開いて、先ず、被写体像をＣＣＤ固体撮像素子３で第１画面１を撮像し、ディジタル信号処理部６等を用いてＰＣカード１０に画像データを書き込む（ステップＳ５２）。
【００５５】
次いで、ＣＰＵ２１は、適正露出条件下で（ステップＳ５３）、第２画面２を撮像し、同様にＰＣカード１０に画像データを書き込む（ステップＳ５４）。
さらに、適正露出に対し−１ＥＶ（−０．５ＥＶでもよい）アンダーの露出条件を与え（ステップＳ５５）、第３画面３を撮像し、同様に録画する（ステップＳ５６）。
その後、ＣＰＵ２１は、ＬＣＤ３０をオンとし（ステップＳ５７）、撮像した３画面の画像のうち、第２画面の被写体像２″の画像を再生表示させる（ステップＳ５８）。
ユーザは、この状態で、適正露出条件で撮像した結果だけを確認することとなる。そして、ＣＰＵ２１は、予め設定した秒時の経過を待ち（ステップＳ５９）、設定秒時経過したらＬＣＤによる画像表示をオフとして（ステップＳ６０）、待機状態に戻る。
【００５６】
この場合も、撮像結果の確認が不要であるとき、バッテリ２８の残量が少ないと予測される場合等においては、ＬＣＤ３０の自動表示による撮像結果の確認を行わないように設定することもできる。
このように、オートブラケットモードにおいても、ＬＣＤ３０等の表示部による撮像結果（複数の静止画像のうち、適正露光で撮像された第２画面）の確認用の表示を自動的に行い且つ短時間で自動的に表示を終了してしまうことにより、省電力化を達成することができ、電源電池の長時間使用が可能となる。また、撮像後、確認用の第２画面の表示が特別の操作を要することなく自動的に行われるので、撮像後その都度再生モードに切り替えて撮像結果を表示させて確認するための煩雑な操作が不要となり、操作性が向上する。
【００５７】
図１３および図１４は、本発明の第５の実施の形態を説明するための図で、操作部２３のレリーズボタン２３ａを押している間に毎秒３０フレームの画像を得る動画モードをモード選択手段により選択した場合の説明図およびフローチャートを示す。
図１３の（ａ）は、動画モードを選択した場合において、第１画面（フレーム）から第６画面（フレーム）までを撮像したことを示す図、（ｂ）は、（ａ）で撮像した動画像情報を、撮像処理手段で第１画面から第６画面を録画したことを示す図、（ｃ）は、（ｂ）で録画した画像のうち、限時制御手段の指令のもとに再生表示手段を作動させて、最初の画面（第１フレーム）１″と最後の画面（第６フレーム）６″の画像を同じＬＣＤ３０により同時に再生表示（マルチ表示）させ、このマルチ表示を設定秒時の間持続させた後、さらに最後の画面の画像６″を拡大表示することを示す図である。
【００５８】
この第５の実施の形態は、第２の実施の形態に対し、再生表示画像の表示の態様が異なっており、フローチャートで対比すると、ステップＳ６１〜ステップＳ６７までは、第２の実施の形態におけるフローチャート（図８）のステップＳ１１〜ステップＳ１７までと共通であるが、この第５の実施の形態の動作を示す図１４のフローチャートのステップＳ６８以降の動作が異なる。
即ち、図１４において、その動作を説明すると、第６画面の撮像と録画が終了（ステップＳ６６）した後、ＣＰＵ２１は、最初の画面の画像１″と最後の画面の画像６″とを、同じＬＣＤ３０の表示画面上に、同時に設定時間だけ再生表示し（ステップＳ６７〜Ｓ６９）、その後、第６画面の画像６″を拡大して表示させ（ステップＳ７０）、設定時間後、ＬＣＤ３０の表示を消滅させる（ステップＳ７１〜Ｓ７２）。
【００５９】
図１５および図１６は、本発明の第６の実施の形態を説明するための図で、操作手段としてのレリーズボタン２３ａの押操作に伴い、所定の時間間隔（ｔ）をおいて複数の静止画像を順次撮像する連写モードをモード選択手段により選択した場合の説明図およびフローチャートを示す。
図１５の（ａ）は、連写モードを選択した場合において、第１画面から第４画面までを連写したことを示す図、（ｂ）は、（ａ）で撮像した静止画像情報を撮像処理手段で、第１画面から第４画面までを録画したことを示す図、（ｃ）は、（ｂ）で録画した画像１′〜４′のうち、限時制御手段の指令のもとに再生表示手段を作動させて最初の画面の画像１″と最後の画面の画像４″とを同じＬＣＤ３０上に同時に再生表示し、設定秒時後さらに、最後の画面の画像４″を拡大表示することを示す図である。
【００６０】
この第６の実施の形態は、第３の実施の形態に対し、再生表示画像の表示の態様が異なっており、フローチャートで対比すると、ステップＳ８１〜ステップＳ８８までは、第３の実施の形態におけるフローチャート（図１０）のステップＳ３１〜ステップＳ３５までと実質的に共通であるが、この第６の実施の形態の動作を示す図１６のフローチャートのステップＳ８９以降の動作が異なる。
即ち、図１６において、その動作を説明すると、第４画面の撮像と録画が終了した後（ステップＳ８７）、ＣＰＵ２１は、最初の画面の画像１″と最後の画面の画像４″とを、同じＬＣＤ３０上に、同時に設定時間だけ再生表示し（ステップＳ８９およびＳ９０）、その後、第４画面の画像４″を拡大して表示し（ステップＳ９１）、設定時間後、ＬＣＤ３０の表示を消滅させる（ステップＳ９２およびＳ９３）。
【００６１】
図１７および図１８は、本発明の第７の実施の形態を説明するための図で、オートブラケットモードをモード選択手段により選択した場合の説明図およびフローチャートを示す。
図１７の（ａ）は、オートブラケットモードを選択した場合において、第１画面（フレーム）から第３画面（フレーム）までを撮像したことを示す図、（ｂ）は、（ａ）で撮像した複数の静止画像情報を、撮像処理手段で第１画面から第３画面を録画したことを示す図、（ｃ）は、（ｂ）で録画した画像のうち、限時制御手段の指令のもとに再生表示手段を作動させて、最初の画面（第１フレーム）と中間の画面と最後の画面（第３フレーム）の画像１″，２″，３″を同じＬＣＤ３０に同時に再生表示（マルチ表示）をし（ステップＳ１０８）、このマルチ表示を設定秒時の間持続させた後（ステップＳ１０９）、さらに中間の最後の画面の画像２″を拡大表示（ステップＳ１１０〜Ｓ１１１）することを示す図である。
【００６２】
この第７の実施の形態は、第４の実施の形態に対し、再生表示画像の表示の態様が異なっており、フローチャートで対比すると、ステップＳ１０１〜ステップＳ１０７までは、第４の実施の形態におけるフローチャート（図１２）のステップＳ５１〜ステップＳ５７までと共通であるが、この第７の実施の形態の動作を示す図１８のフローチャートのステップＳ１０８以降の動作が異なる。
即ち、図１８において、その動作を説明すると、第３画面の撮像と録画が終了した後、ＣＰＵ２１は、最初の画面の画像１″と中間の画像２″と最後の画面の画像３″とを、同じＬＣＤ３０上に、同時に設定時間だけ再生表示し（ステップＳ１０７〜Ｓ１０９）、その後、第２画面の画像２″を拡大して表示し（ステップＳ１１０）、設定時間後（ステップＳ１１１）、ＬＣＤ３０の表示を消滅させる（ステップＳ１１２）。
【００６３】
上述したように、本発明によれば、通常モードに限らず、連写モード、オートブラケットモードおよび動画モードのいずれの撮像モードを選択した場合でも、特別の操作に煩わされることがなく、外部操作に応答して撮像処理手段により画像情報を記録媒体へ書き込んだ後、限時制御手段により、所定の設定時間についてのみ再生表示手段のＬＣＤ３０等を作動させて、直前に撮像した画像情報を表示させることにより、前記再生表示手段のＬＣＤ３０等の動作時間を撮像直後のみに制限して、標準的な実使用状況に即し、撮影時における電力消費を可能な限り低減して、省電力化を達成することができる。
【００６４】
尚、本発明は、上述し且つ図面に示す第１〜第７の実施の形態にのみ限定されることなく、その要旨を変更しない範囲内で種々変形実施することができる。
例えば、撮像画像を前記再生表示手段のＬＣＤ３０等に表示させる時間を、所望に応じて、例えば数秒または数十秒等に変更してもよい。
また、撮像結果の確認が不要であるとき、バッテリ２８等の残量が少ないと予測される場合等においては、ＬＣＤ３０等の自動表示による撮像結果の確認を行わないように設定することもできる。また、ＰＣカード１０等の記録媒体に記録されている画像を表示させるための再生モードにおいては、ＬＣＤ３０による画像表示を常時行うようにする。このような再生モードは、商用電源コンセントの存在する室内等で利用されることが多く、電源はバッテリ２８でなくＡＣアダプタ等を用いていることが多い。
【００６５】
さらに、動画モード、連写モードおよびオートブラケットモードにおいて、１回の操作手段によって撮像する撮像フレーム数は、任意であり、また、再生表示するフレームおよびフレーム数についても任意である。
また、上述した実施の形態では、マルチ再生表示した後、拡大再生表示する場合について説明したが、必らずしも拡大再生表示をする必要はない。
【００６６】
以上において説明した処理は、上述の記載に基づき当該技術分野の技術者が可能な範囲で、プログラムした在来の汎用マイクロプロセッサを用いて実現するようにしてもよい。当該技術分野の技術者には明らかなように、熟達したプログラマーが、上述に基づき容易に適切なプログラムコードを作成することができる。本発明は、また、記憶媒体に格納されて、コンピュータに本発明に従った処理を実行させるプログラム命令を含むコンピュータ応用製品をも含む。該記憶媒体としては、フロッピーディスク、光ディスク、ＣＤ−ＲＯＭおよびＭＯ（光磁気）ディスク等を含むあらゆるタイプのディスク媒体、並びにＲＯＭ（リードオンリメモリ）、ＲＡＭ（ランダムアクセスメモリ）、ＥＰＲＯＭ（消去可能なプログラマブルＲＯＭ）、ＥＥＰＲＯＭ（電気的に消去可能なプログラマブルＲＯＭ）、フラッシュメモリ、磁気または光学記憶カード等、あるいは電子的命令を記憶可能な如何なる媒体をも用いることができる。
【００７２】
【発明の効果】
以上述べたように、請求項１の発明によれば、撮像光学系により結像された被写体光学像を電子的な画像情報に変換する撮像部と、
ユーザの撮像指示を受け付ける撮像指示部と、
前記画像情報を表示する表示部と、
前記ユーザが撮影視野を確認する光学ファインダと、
を備え、
単一の画像情報を前記表示部全体に表示する全画面表示、あるいは、縮小した複数の画像情報を前記表示部に同時に表示する一覧表示のどちらかを選択的に行うカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つの撮影画像情報を自動的に前記表示部に所定時間全画面表示し、
前記全画面表示の後に前記表示部の表示を自動的に終了するように構成したので、撮影者は、撮影操作の前に撮影視野を光学ファインダによって確認することができ、かつ複数の撮影画像情報の一覧表示と、その中の１つの撮影画像情報とが自動的に切り換えられ、縮小された画像の後に、拡大された画像情報により画像のピンボケや被写体像のブレの有無を特別の操作を伴うことなく確認することができ、極めて、操作性に優れ、撮影画像情報を記録媒体に記録した直後から表示駆動することにより電力消費を可能な限り低減して、省電力化を達成し得るカメラを提供することができる。
【００７３】
請求項２の発明によれば、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報により構成される撮影動画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つを自動的に前記表示部に所定時間全画面表示し、
前記全画面表示の後に前記表示部の表示を自動的に終了するように構成したので、動画モードが選択されている場合であっても、電力消費を可能な限り低減して、省電力化を達成しつつ、上述したように操作性を向上させ得るカメラを提供することができる。
【００７４】
請求項３の発明によれば、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した撮影画像情報により構成される撮影動画像情報のうち最初と最後の撮影画像情報を所定の記録媒体に記録し、
その直後に前記最初と最後の撮影画像情報を自動的に前記表示部に所定時間一覧表示し、
前記一覧表示の後に前記最初と最後の撮影画像情報のうちの１つを自動的に前記表示部に所定時間全画面表示し、
前記全画面表示の後に前記表示部の表示を自動的に終了するように構成したので、動画モードが選択されている場合であっても、電力消費を可能な限り低減して、省電力化を達成しつつ、上述したように操作性を向上させ得るカメラを提供することができる。
【００７５】
請求項４の発明によれば、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が所定の撮影間隔毎に変換した複数の撮影画像情報のうち少なくとも２つ以上の撮影画像情報を所定の記録媒体に記録し、
その直後に前記少なくとも２つ以上の撮影画像情報を自動的に前記表示部に所定時間一覧表示し、
前記一覧表示の後に前記少なくとも２つ以上の撮影画像情報のうちの１つを自動的に前記表示部に所定時間全画面表示し、
前記全画面表示の後に前記表示部の表示を自動的に終了するように構成したので、より多くの画像の確認が直ちに行え、撮影時における電力消費を可能な限り低減して、省電力化を達成しつつ、上述したように操作性を向上させ得るカメラを提供することができる。
請求項５の発明によれば、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が所定の撮影間隔毎に変換した複数の撮影画像情報のうち最初と最後の撮影画像情報を所定の記録媒体に記録し、
その直後に前記最初と最後の撮影画像情報を自動的に前記表示部に所定時間一覧表示し、
前記一覧表示の後に前記最初と最後の撮影画像情報のうちの１つを自動的に前記表示部に所定時間全画面表示し、
前記全画面表示の後に前記表示部の表示を自動的に終了する
ように構成したので、より多くの画像の確認が直ちに行え、さらに、その中の１つの撮影画像情報が全画面で拡大表示されて、確認が容易化され、さらに、電力消費を可能な限り低減して、省電力化を達成しつつ、操作性を向上させ得るカメラを提供することができる。
【００７６】
請求項６の発明によれば、請求項１に記載のカメラにおいて、
前記撮像指示部への撮像指示による撮像および撮影画像情報の記録が終了するまでは前記表示部に表示を行わず、
前記撮像指示部への撮像指示に応答して前記撮像部が変換した複数の撮影画像情報を所定の記録媒体に記録し、
その直後に前記複数の撮影画像情報を自動的に前記表示部に一覧表示し、
前記表示部に所定時間一覧表示させた後に前記複数の撮影画像情報のうちの１つを自動的に前記表示部に全画面表示し、
前記表示部に所定時間全画面表示させた後に前記表示部の表示を自動的に終了するように構成したので、特別の手動操作を伴うことなく、撮像直後の録画状態を所定時間についてのみ再生によって確認でき、しかも消費電力の低減を達成することができ、延いては、焦点が合っているかどうかの確認や被写体像が振れていないかどうかの確認を特別の操作なしに効率よく行い得るカメラを提供することができる。
請求項７の発明によれば、請求項１に記載のカメラにおいて、
前記撮像指示部への撮像指示による撮像および撮影画像情報の記録が終了するまでは前記表示部に表示を行わず、
前記撮像指示部への撮像指示に応答して予め設定された異なる露出条件で前記撮像部が変換した複数の撮影画像情報を所定の記録媒体に記録し、
その直後に前記複数の撮影画像情報を自動的に前記表示部に一覧表示し、
前記表示部に所定時間一覧表示させた後に前記複数の撮影画像情報のうちの１つを自動的に前記表示部に全画面表示し、
前記表示部に所定時間全画面表示させた後に前記表示部の表示を自動的に終了するように構成したので、いわゆるオートブラケットモードを選択した場合であっても、
より多くの画像の確認が直ちに行える共に全画面での確認が順次に行え、電力消費を可能な限り低減して、省電力化を達成しつつ、操作性を向上させ得るカメラを提供することができる。
【００７７】
請求項８の発明によれば、全画面表示を行う前記所定時間を設定し、一覧表示を行う前記所定時間を設定する画像表示時間操作部を有する構成としたので、特に、使用者の好みに合わせた表示動作を可能とし、使い勝手を向上させ得るカメラを提供することができる。
【００７９】
本発明によれば、カメラとして、請求項９のように、電子カメラ、請求項１０のように、デジタルカメラ、請求項１１のように、デジタルスチルカメラのいずれにも適用可能であり、特別の手動操作を伴うことなく、撮像直後の録画状態を所定時間についてのみ再生によって確認でき、しかも消費電力の低減を達成することができ、延いては、焦点が合っているかどうかの確認や被写体像が振れていないかどうかの確認を特別の操作なしに効率よく行い得るカメラを提供することができる。
【図面の簡単な説明】
【図１】本発明の第１〜第７の実施の形態に共通の電子カメラの機能構成を模式的に示すブロック図である。
【図２】第１の実施の形態のカメラの撮像・表示動作を説明するためのフローチャートである。
【図３】図１のカメラの撮像動作の一例における時系列の第１の状態を説明するための模式図である。
【図４】図１のカメラの撮像動作の一例における時系列の第２の状態を説明するための模式図である。
【図５】図１のカメラの撮像動作の一例における時系列の第３の状態を説明するための模式図である。
【図６】図１のカメラの撮像動作の一例における時系列の第４の状態を説明するための模式図である。
【図７】第２の実施の形態に係る電子カメラの動作を説明するための図である。
【図８】第２の実施の形態に係る電子カメラの動作を説明するためのフローチャートである。
【図９】第３の実施の形態に係る電子カメラの動作を説明するための図である。
【図１０】第３の実施の形態に係る電子カメラの動作を説明するためのフローチャートである。
【図１１】第４の実施の形態に係る電子カメラの動作を説明するための図である。
【図１２】第４の実施の形態に係る電子カメラの動作を説明するためのフローチャートである。
【図１３】第５の実施の形態に係る電子カメラの動作を説明するための図である。
【図１４】第５の実施の形態に係る電子カメラの動作を説明するためのフローチャートである。
【図１５】第６の実施の形態に係る電子カメラの動作を説明するための図である。
【図１６】第６の実施の形態に係る電子カメラの動作を説明するためのフローチャートである。
【図１７】第７の実施の形態に係る電子カメラの動作を説明するための図である。
【図１８】第７の実施の形態に係る電子カメラの動作を説明するためのフローチャートである。
【符号の説明】
１  撮像レンズ系
２  シャッタ機構
３  ＣＣＤ（電荷結合素子）固体撮像素子
４  ＣＤＳ（相関二重サンプリング）回路
５，１３  Ａ／Ｄ（アナログ−ディジタル）変換器
６  ディジタル信号処理部
７  画像圧縮／伸長部
８  ＦＩＦＯ（first in-first out）
９  カードインタフェース（Ｉ／Ｆ）
１０  ＰＣカード
１１  マイクロフォン
１２  フィルタアンプ
１４  音声圧縮／伸長部
２１  ＣＰＵ（中央処理部）
２２  第１のＬＣＤ（液晶ディスプレイ）
２３  操作部
２５  モータドライバ
２６  制御信号生成部（ＳＧ）
２７  ストロボ装置
２８  バッテリ
２９  ＤＣ−ＤＣコンバータ
３０  第２のＬＣＤ（液晶ディスプレイ）
２３ａ  レリーズボタン
Ｂ  カメラボディ
Ｆ  光学ファインダ（接眼部）
【図１】
0003989657.tif 000002
【図２】
0003989657.tif 000003
【図３】
0003989657.tif 000004
【図４】
0003989657.tif 000005
【図５】
0003989657.tif 000006
【図６】
0003989657.tif 000007
【図７】
0003989657.tif 000008
【図８】
0003989657.tif 000009
【図９】
0003989657.tif 000010
【図１０】
0003989657.tif 000011
【図１１】
0003989657.tif 000012
【図１２】
0003989657.tif 000013
【図１３】
0003989657.tif 000014
【図１４】
0003989657.tif 000015
【図１５】
0003989657.tif 000016
【図１６】
0003989657.tif 000017
【図１７】
0003989657.tif 000018
【図１８】
0003989657.tif 000019